(57)【要約】【課題】メール便の受付け登録ではレジ操作に時間を要し、出荷票の手動入力の便数の記入では記載ミスが生じる場合が存在する。【解決手段】一実施形態によれば、被包装物及び縦、横および厚さの３辺寸法を有する包装材からなるメール便の包装材に貼付される伝票に付される商品コードを読取る読取り部と、この読取り部により商品コードが読取られたメール便の３辺寸法により区分された複数の寸法区分のそれぞれに対して金額を対応付けたテーブルの記憶部と、この記憶部のテーブルに記憶された寸法区分、金額、読取られた商品コードおよびキー入力されたメール便の通数を互いに対応付けて商品販売登録を行う情報処理部と、この情報処理部によって登録されたメール便の受付け画面を表示する表示部と、この表示部に受付けが完了したメール便の寸法区分別の通数を示す集計情報を表示させる集計部とを備えた商品登録装置が提供される。【選択図】図２
2014041531.tif 000002
【特許請求の範囲】
【請求項１】
被包装物およびこの被包装物を封入し縦、横および厚さの３辺寸法を有する包装材からなるメール便の前記包装材に貼付される伝票に付される商品コードを読取る読取り部と、
この読取り部により前記商品コードが読取られた前記メール便の前記３辺寸法により区分された複数の寸法区分のそれぞれに対して金額を対応付けたテーブルの記憶部と、
この記憶部の前記テーブルに記憶された前記寸法区分、前記金額、読取られた前記商品コードおよびキー入力された前記メール便の通数を互いに対応付けて商品販売登録を行う情報処理部と、
この情報処理部によって登録された前記メール便の受付け画面を表示する表示部と、
この表示部に受付けが完了した前記メール便の前記寸法区分別の通数を示す集計情報を表示させる集計部と、
を備えた商品登録装置。
【請求項２】
前記商品販売登録の締め宣言を入力するキー入力部を更に備え、
前記集計部は前記締め宣言が前記情報処理部に通知されたことを契機に前記集計情報を表示させる請求項１記載の商品登録装置。
【請求項３】
前記表示部は前記集計情報をポップアップ表示する請求項１記載の商品登録装置。
【請求項４】
前記表示部は、小計額、預かり金額及び釣銭額を含む会計情報および前記集計情報を互いに被さらないように表示する請求項１記載の商品登録装置。
【請求項５】
前記表示部は小計額、預かり金額及び釣銭額を含む会計情報および前記集計情報を画面領域上で縮小表示する請求項１記載の商品登録装置。
【請求項６】
コンピュータに、
被包装物、およびこの被包装物を封入し縦、横および厚さの３辺寸法を有する包装材からなるメール便の前記包装材に貼付される伝票に付される商品コードを読取る機能と、
前記メール便の受付け通数をキー入力する機能と、
前記メール便の前記３辺寸法により区分された複数の寸法区分のそれぞれに対して金額を対応付けたテーブルを記憶する機能と、
前記テーブルに記憶された前記寸法区分、前記金額、前記商品コードおよび前記通数を対応付けて商品販売登録を実行する機能と、
商品販売登録された前記メール便の受付け画面を表示画面に表示する機能、
受付けが完了した前記メール便の前記寸法区分別の通数を示す集計情報を前記表示画面に表示させる機能と、
を実行させるプログラム。
【発明の詳細な説明】
【技術分野】
【０００１】
一実施形態は商品登録装置およびプログラムに関する。
【背景技術】
【０００２】
雑誌などの刊行物やカタログなどの小荷物（以下、メール便と呼ぶ）を受取人宅の郵便受けに配達する宅配サービスが知られており、従来、宅配便の受注データを登録処理する商品販売データ処理装置が提案されている（例えば特許文献１参照）。集荷の取り次ぎを行う店舗ではＰＯＳ（ｐｏｉｎｔ ｏｆ ｓａｌｅｓ）システムの商品登録装置により、メール便を受付け登録する。顧客から店舗へ持ち込まれる際、商品登録装置はスキャナによりメール便に貼付された伝票ラベルからバーコードを読取る。店員はメール便の寸法区分がＡ４内、厚さは１ｃｍ内であるということを計測して入力する。商品登録装置は、寸法区分情報をスキャナ読取りされた情報に対応付けする。店員は紙の出荷票にメール便を受付け登録した便数（又は件数）と、各メール便の寸法区分とを手書きで記入する。宅配会社の配達者は店舗に来て複数のメール便を集荷する。顧客によっては、多数のメール便をまとめて出す人が存在する。
【先行技術文献】
【特許文献】
【０００３】
【特許文献１】特開平０７−７３３８１号公報
【発明の概要】
【発明が解決しようとする課題】
【０００４】
しかし、従来の技術では、店員は、手作業でメール便の便数を数えて出荷票に記入し、あるいは商品登録装置の画面上の取引明細から実際の便数を数えて出荷票に記入しているため、レジ操作が滞り時間を要する場合が存在する。手動入力は人為的な作業であるため、便数の記入では記載ミスが生じる場合が存在する。
【課題を解決するための手段】
【０００５】
このような課題を解決するため、一実施形態によれば、被包装物およびこの被包装物を封入し縦、横および厚さの３辺寸法を有する包装材からなるメール便の前記包装材に貼付される伝票に付される商品コードを読取る読取り部と、この読取り部により前記商品コードが読取られた前記メール便の前記３辺寸法により区分された複数の寸法区分のそれぞれに対して金額を対応付けたテーブルの記憶部と、この記憶部の前記テーブルに記憶された前記寸法区分、前記金額、読取られた前記商品コードおよびキー入力された前記メール便の通数を互いに対応付けて商品販売登録を行う情報処理部と、この情報処理部によって登録された前記メール便の受付け画面を表示する表示部と、この表示部に受付けが完了した前記メール便の前記寸法区分別の通数を示す集計情報を表示させる集計部と、を備えた商品登録装置が提供される。
【０００６】
また、別の一実施形態によれば、コンピュータに、被包装物およびこの被包装物を封入し縦、横および厚さの３辺寸法を有する包装材からなるメール便の前記包装材に貼付される伝票に付される商品コードを読取る機能と、前記メール便の受付け通数をキー入力する機能と、前記メール便の前記３辺寸法により区分された複数の寸法区分のそれぞれに対して金額を対応付けたテーブルを記憶する機能と、前記テーブルに記憶された前記寸法区分、前記金額、前記商品コードおよび前記通数を対応付けて商品販売登録を実行する機能と、商品販売登録された前記メール便の受付け画面を表示画面に表示する機能、受付けが完了した前記メール便の前記寸法区分別の通数を示す集計情報を前記表示画面に表示させる機能と、を実行させるプログラムが提供される。
【図面の簡単な説明】
【０００７】
【図１】実施の形態に係る商品登録装置を含むＰＯＳシステムの構成図である。
【図２】実施の形態に係る商品登録装置の斜視図である。
【図３】実施の形態に係る商品登録装置に用いられる伝票の一例を示す図である。
【図４】実施の形態に係る商品登録装置のテーブルの一例を示す図である。
【図５】実施の形態に係る商品登録装置の制御系を主体にした要部構成のブロック図である。
【図６】実施の形態に係る商品登録装置によるメール便の取扱い方法を説明するためのフローチャートである。
【図７】実施の形態に係る商品登録装置によるメール便の受付け選択画面の一例を示す図である。
【図８】実施の形態に係る商品登録装置による一通のメール便の受付け登録時の表示例を示す図である。
【図９】実施の形態に係る商品登録装置によるメール便の登録締めの表示例を示す図である。
【図１０】実施の形態に係る商品登録装置によるメール便の受付け便数のポップアップ表示例を示す図である。
【図１１】実施の形態に係る商品登録装置によるメール便の受付け便数の他のポップアップ表示例を示す図である。
【発明を実施するための形態】
【０００８】
以下、実施の形態に係る商品登録装置およびプログラムについて、図１乃至図１１を参照しながら説明する。尚、各図において同一箇所については同一の符号を付すとともに、重複した説明は省略する。
【０００９】
図１は実施の形態に係る商品登録装置を含むＰＯＳシステムの構成図である。ＰＯＳシステム１０は、店舗に設けられメール便の受付け、商品販売登録及び会計を行うＰＯＳ端末１１（商品登録装置）と、ＬＡＮ（ｌｏｃａｌ ａｒｅａ ｎｅｔｗｏｒｋ）１２によりＰＯＳ端末１１に接続されこのＰＯＳ端末１１へメール便の寸法区分及び運賃の対応を示すメール便サイズ運賃テーブルを送りＰＯＳ端末１１の売上げを管理する店舗内のストアコンピュータ１３とを備えている。更にＰＯＳシステム１０は、店舗に設けられたディジタル回線終端装置１４と、ディジタル通信回線１５と、本部に設けられた別のディジタル回線終端装置１６と、本部に設けられ店舗からのメール便の受付け情報を宅配会社のコンピュータへ転送し、各ストアコンピュータ１３からの売上げファイルを収集するホスト装置１７とを備えている。
【００１０】
図２はＰＯＳ端末１１の斜視図である。既述の符号はそれらと同じ要素を表す。ＰＯＳ端末１１は、メール便の包装材に貼付される伝票に付されるバーコード（商品コード）を読取るスキャナ１８（読取り部）と、テンキーや締めキーを有するキーボード１９（キー入力部）と、メール便の３辺寸法により区分されたメール便サイズ運賃テーブル２０（テーブル）の記憶部２１とを備えている。ＰＯＳ端末１１はメール便サイズ運賃テーブル２０に記憶された寸法区分、金額、スキャナ１８で読取られたバーコードおよびキー入力されたメール便の通数（一通、二通を表す数）を互いに対応付けて商品販売登録を行う情報処理部２２と、この情報処理部２２によって登録されたメール便の受付け画面を表示するキャッシャ用表示器２３（表示部）と、このキャッシャ用表示器２３に受付け完了したメール便の寸法区分別の通数を示す集計情報を表示させる集計部２４とを備えている。更にＰＯＳ端末１１は、商品コードに対応付けた商品情報を保持する商品マスタファイルの記憶部２５と、顧客との商取引の記録を保持するトランザクションファイルを記憶する記憶部２６と、客面側を向く客面表示器２７と、レシートを印字出力するプリンタ２８と、ドロワ２９とを備えている。
【００１１】
スキャナ１８はメール便に貼付される伝票からバーコードを光学的に読取る。一つのメール便は、雑誌などの刊行物やカタログなどの冊子、チラシ、パンフレット、書類などの印刷物あるいは商品サンプル等、薄いシート状の小荷物といった被包装物およびこの被包装物を封入し縦、横および厚さの３辺寸法を有する封筒といった包装材からなる。
【００１２】
図３はラベル状の伝票の一例を示す図である。複数枚の伝票ラベル１０１（伝票）は、一方のライナ面を内側にしてロール状に巻回されたライナ１００の他のライナ面上にそれぞれ接着剤により仮着されており、各伝票ラベル１０１のラベル面にバーコード１０２が印刷されている。伝票ラベル１０１はキャッシャによりメール便に貼付けられる。スキャナ１８はこのメール便の包装材上の伝票ラベル１０１から読取ったコードシンボルをデコードしコードデータを取得する。
【００１３】
また、図２のキーボード１９のテンキーはキートップに数字が印字された数値入力用のキーであり、締めキーは商品販売データ処理の終了を宣言するために押下される。記憶部２１のメール便サイズ運賃テーブル２０はメール便の縦寸法、横寸法及び厚さ寸法からなる３辺寸法により区分された例えば４種類の寸法区分のそれぞれに対して金額を対応付けている。
【００１４】
図４はメール便サイズ運賃テーブル２０の一例を示す図である。既述の符号はそれらと同じ要素を表す。４種類の寸法区分は予め店舗と宅配会社との間で決められたサイズ範囲の区分である。持ち込まれたメール便がこれらの寸法区分のうちの何れかに属するかがキャッシャにより判定入力され、対応する運賃をＰＯＳ端末１１がキャッシャ用表示器２３の画面上に表示するようになっている。
【００１５】
図２の情報処理部２２は商品登録処理用のデータの読み書き及び全体制御を行う。情報処理部２２は、スキャナ１８からのコードデータによって記憶部２５内の商品マスタファイルを検索して商品あるいはメール便という役務の商品名、商品コード、単価といった単品の商品情報をキャッシャ用表示器２３に表示させる。メール便受付けという役務名について、情報処理部２２は商品名の一つとして扱う。この情報処理部２２は一取引における商品情報やメール便の取扱い履歴を含むトランザクションデータを生成し、トランザクションデータを記憶部２６へ登録する。
【００１６】
また、キャッシャ用表示器２３はスキャナ１８によるスキャン及びキーボード１９への操作により入力された情報を表示する。キャッシャ用表示器２３は液晶や有機ＥＬ（ｅｌｅｃｔｒｏｌｕｍｉｎｅｓｃｅｎｃｅ）素子を表示画素とするパネル上にタッチパネルを設けるタッチパネル式の表示装置である。キャッシャ用表示器２３はメール便の受付け開始や、締めキーの入力を画面上のソフトウェアキーを介してＰＯＳ端末１１へ指令を与えてもよい。このキャッシャ用表示器２３は集計部２４の集計により生成された集計情報をポップアップ表示する。ポップアップ表示では一定時間あるいは表示開始後、店員による確認が入力されるまでに至る時間、キャッシャ用表示器２３は情報を表示する。キャッシャ用表示器２３は会計情報および集計情報を互いに被さらないように表示する。キャッシャ用表示器２３あるいは集計部２４による表示指令は、キーボード１９の締めキーの押下による締め宣言が情報処理部２２に通知されたことをトリガとする。
【００１７】
商品マスタファイルの記憶部２５は各商品及びメール便受付けの基本データを商品マスタファイルとしてストアコンピュータ１３から取り込みした記憶装置である。トランザクションファイルの記憶部２６は取引番号に関連付けて一取引分の売上げ情報を記憶する。トランザクションファイルは顧客からのメール便の受付けの記録を記憶する。客面表示器２７は受付けしたメール便について、「サイズＡ４、厚さ１ｃｍ」という寸法区分、運賃「８０円」及び通数が「３通」といった取引明細や、合計金額、預かり金額及び釣銭額等の取引結果を表示する。プリンタ２８はレシート上に受付け入力された全てのメール便について寸法区分、運賃、通数、合計金額、預かり金額及び釣銭額を印字する。ドロワ２９は現金を収容する。
【００１８】
図５はＰＯＳ端末１１の制御系を主体にした要部構成のブロック図である。既述の符号はそれらと同じ要素を表す。ＰＯＳ端末１１は、ＣＰＵ（ｃｅｎｔｒａｌ ｐｒｏｃｅｓｓｉｎｇ ｕｎｉｔ）３０と、このＣＰＵ３０にプログラムを実行させるＲＯＭ（ｒｅａｄ ｏｎｌｙ ｍｅｍｏｒｙ）３１と、作業領域を有するＲＡＭ（ｒａｎｄｏｍ ａｃｃｅｓｓ ｍｅｍｏｒｙ）３２と、メール便サイズ運賃テーブル２０の記憶部２１及び他の記憶部２５、２６の記憶領域を有するハードディスクドライブ３３と、バスライン３４とを備えている。これらのＣＰＵ３０、ＲＯＭ３１及びＲＡＭ３２は情報処理部２２及び集計部２４を構成する。
【００１９】
ＲＯＭ３１はコンピュータに次の各機能を実行させる。メール便上の伝票に付されるバーコードをスキャナ１８により読取る機能。メール便の受付け通数をキーボード１９によりキー入力する機能。メール便サイズ運賃テーブル２０を記憶部２１に記憶する機能。メール便サイズ運賃テーブル２０に記憶された寸法区分、金額、バーコードおよび通数を対応付けて商品販売登録を情報処理部２２により実行する機能。商品販売登録されたメール便の受付け画面をキャッシャ用表示器２３により表示画面に表示する機能。受付けが完了したメール便の寸法区分別の通数を示す集計情報をキャッシャ用表示器２３により表示画面に表示させる機能。
【００２０】
更にＰＯＳ端末１１はストアコンピュータ１３とデータ通信を行う通信インターフェース３５と、ドロワ２９へ開放指令を通知するためのＩ／Ｏポート３６と、キーボード１９の操作キーの信号を読込むキーボードコントローラ３７とを備えている。このキーボードコントローラ３７は締めキーを含む全キーの押下を検知してＣＰＵ３０へ割込み信号を通知する。ＰＯＳ端末１１は、キャッシャ用表示器２３用の表示コントローラ３８と、客面表示器２７用の表示コントローラ３９と、プリンタ２８用のプリンタコントローラ４０と、スキャナ１８用のスキャナコントローラ４１とを備えている。
【００２１】
このような構成のＰＯＳ端末１１が設置された店舗へ、顧客が複数通のメール便を持ち込む。店員は持ち込まれた全てのメール便にそれぞれバーコード付きの伝票ラベルを貼る。以下例えばそれぞれＡ４、厚さ１ｃｍの２通のメール便が持ち込まれたときの受付け登録処理について述べる。スキャナ１８によりこれらのメール便上の伝票のバーコードが読込み可能な状態にされる。
【００２２】
図６はＰＯＳ端末１１によるメール便の取扱い方法を説明するためのフローチャートである。ＰＯＳ端末１１は最初の一通目のメール便の販売登録を始める。ステップＡ１において、ＰＯＳ端末１１の動作状態は商品登録キー又は締めキーの押下の待ち状態中であり、キャッシャ用表示器２３に例えば商品登録キー又は締めキーの押下を促す旨を表示する。ステップＡ１において、ＰＯＳ端末１１は商品登録キーが押されたことを検知すると、「商品登録」ルートを通り、ステップＡ２においてＰＯＳ端末１１は商品登録の処理を開始し、ステップＡ３において登録された商品がメール便かどうかを判定する。判定は、例えばメール便又は商品の選択ボタンを画面表示し、店員により何れか一方のボタンが押下されたか否かを情報処理部２２が判定することによる。このステップＡ３においてＰＯＳ端末１１はメール便の選択を検知すると、Ｙｅｓルートを通り、ステップＡ４において対象のメール便の寸法区分の選択及び販売登録を実行し、メール便の通数をカウントする。具体的にはステップＡ４において情報処理部２２はキャッシャ用表示器２３にメール便の受付け選択用の画面を表示させる。
【００２３】
図７はメール便の受付け選択画面の一例を示す図であり、一通毎にＰＯＳ端末１１は同図の画面を表示する。キャッシャ用表示器２３の表示画面領域である登録画面４２に情報処理部２２はウィンドウ４３を表示する。このウィンドウ４３はそれぞれが寸法区分を表す４行の区分からなるドロップダウンリストを有する。例えば「Ａ４、厚さ１ｃｍまで」という寸法区分がタッチ選択されたことを情報処理部２２が検知すると、情報処理部２２は対応の区分領域の背景色を反転させる。情報処理部２２はＲＡＭ３２にこの寸法区分「Ａ４、厚さ１ｃｍまで」を保持する。引き続きＰＯＳ端末１１は、スキャンによりメール便の伝票ラベルからバーコードを読取って商品登録を行う。
【００２４】
図８は一通のメール便の受付け登録時の表示例を示す図である。既述の符号はそれらと同じ要素を表す。情報処理部２２は登録画面４２内に一取引として受付け登録されたメール便の取引明細を一覧表示するための明細エリア４４を表示する。一通目のメール便について、バーコードで表されるシリアル番号と、「Ａ４、厚さ１ｃｍまで」という寸法区分と、金額とがデータ上で紐付けされる。情報処理部２２はＲＡＭ３２の所定領域においてこのデータ上の対応関係を書込む。店員は読取り終えたメール便を持ち込まれたメール便の束からよける。図７、図８の運用は先にメール便に伝票ラベルを貼ってからバーコードを読取る例であるが、伝票ラベルを貼らずに先にバーコードを読取ってからバーコードが登録された伝票ラベルをメール便に貼ってこのメール便をよけるという取扱いでもよい。
【００２５】
図６に戻って、ＰＯＳ端末１１はステップＡ４において一通目のカウントを終えた後、二通目のメール便についてステップＡ１の処理を実行する。店員は画面表示に沿って画面タッチやキー入力を行う。ＰＯＳ端末１１は「商品登録キー又は締めキー」の押下を促す表示を行い、商品登録キーの押下を検知し、商品登録の判定処理によってメール便の登録であると判断すると（ステップＡ１〜ステップＡ３のＹｅｓルート）、ＰＯＳ端末１１はステップＡ４において二通目のメール便の寸法区分の選択及び販売登録を実行する。ＰＯＳ端末１１は図７のウィンドウ４３により「Ａ４、厚さ１ｃｍまで」が選択されると、ＰＯＳ端末１１は、スキャンにより二通目のメール便のバーコードを読取って商品登録を行う。図８の表示例と同様に、ＰＯＳ端末１１は一取引として受付け登録された二通目のメール便の情報を取引明細に加え、二通目のメール便について、シリアル番号、寸法区分及び金額を紐付けする。
【００２６】
再度図６のステップＡ１において、ＰＯＳ端末１１は店員による締めキーの入力を検知する。ステップＡ１においてＰＯＳ端末１１は「締め」ルートを通り、ステップＡ５において、メール便の運賃を支払うための締め処理を行う。ＰＯＳ端末１１は釣銭演算を行ってキャッシャ用表示器２３に釣銭金額を表示させる。図９はメール便の登録締めの表示例を示す図である。既述の符号はそれらと同じ要素を表す。
【００２７】
ステップＡ６において、ＰＯＳ端末１１は一取引内にメール便の受付け登録が有ったかどうかを判定し、Ｙｅｓルートを通り、ステップＡ７においてＰＯＳ端末１１はメール便の受付け便数をポップアップ表示する。
【００２８】
図１０はメール便の受付け便数のポップアップ表示例を示す図である。既述の符号はそれらと同じ要素を表す。キャッシャ用表示器２３は登録画面４２内の明細エリア４４に、それぞれ「Ａ４、厚さ１ｃｍまで」の寸法区分の２通のメール便の登録情報を表示する。情報処理部２２は登録画面４２内に小計額、預かり金額及び釣銭額を含む会計情報４５を表示する。集計部２４が集計したデータによりキャッシャ用表示器２３が集計情報４６をポップアップ表示する。図１０に示すように、キャッシャ用表示器２３は会計情報４５と集計情報４６とが互いを隠さないように表示する。情報処理部２２又はキャッシャ用表示器２３は、ポップアップ表示を集計情報４６のウィンドウやダイアログを登録画面４２内に一時的に表示させる。消去確認が入力されるまでＰＯＳ端末１１はポップアップ表示を続ける。ポップアップ表示には、店員向けの作業事項を含めてもよい。
【００２９】
店員は集計情報４６の画面を目視してメール便の総数が２通であること、及び２通の内訳は何れも所定の寸法区分を持つということとを、出荷票に手書きで書き写す。書き写しが終わって店員操作によるタッチ入力確認又はキー入力確認がＰＯＳ端末１１に通知されるまでポップアップ表示は表示され続ける。ＰＯＳ端末１１は、ポップアップ表示の消去の確認応答の入力によって、集計情報４６のポップアップ表示を登録画面４２から消去する。
【００３０】
図６のステップＡ３で登録された商品がメール便ではない場合、ＰＯＳ端末１１は、Ｎｏルートを通り、ステップＡ８において他の商品の登録及び会計等を行ってもよい。
【００３１】
出荷票は後刻、店員から宅配会社の配達員へ渡され、出荷票の控えは店舗及び顧客へ渡されるものである。店員は登録されたメール便の便数と、メール便の寸法区分とを手作業で数えずに得られるため、書き写しの作業の時間の短縮ができ、レジ操作の中断がなくなる。また、手動で書き写す際に生じうる人為的な記載ミスもなくなる。Ａ４のメール便が１０通、Ｂ４のメール便が２０通という情報を、手作業でメール便を数える作業や、画面上の明細表示を目視で追って寸法区分毎にメール便の便数を数える作業がなくなる。作業時間が節約でき、店員の作業負担が軽減される。
【００３２】
（変形例）
また、キャッシャ用表示器２３は、小計額、預かり金額及び釣銭額を含む会計情報４５および集計情報４６を画面領域上で縮小表示してもよい。
【００３３】
図１１はＰＯＳ端末１１によるメール便の受付け便数の他のポップアップ表示例を示す図である。既述の符号はそれらと同じ要素を表す。メール便の便数も適宜変えて表示されている。これにより、会計情報４５および集計情報４６が互いに相手を隠さないように分割表示され、各情報を視認できるため、画面切替え等の手間が発生せず作業時間が節約できる。メール便の便数を数える作業を妨げずにレジ打ち作業を行える。
【００３４】
上記例では、ＰＯＳ端末１１の代わりにＥＣＲ（Ｅｌｅｃｔｒｏｎｉｃ Ｃａｓｈ Ｒｅｇｉｓｔｅｒ）を商品登録装置に用いても良い。メール便の通数の入力や寸法区分の選択にはキーボード１９を使うこと、又は他のポインティングデバイスを接続してポインティングデバイスによって入力してもよい。締めキーとして、客層を識別するための客層締めキーを用いてもよい。図３の伝票ラベルは一例であり、平面状のライナ用紙上に縦横複数配列された伝票ラベルを剥がして、各メール便の包装材に貼るなどしてもよい。
【００３５】
上記例では４種類の寸法区分であったが、寸法区分は５種類又はそれ以上で細かく設定してもよい。尚Ａ４サイズ及びＢ４サイズ以外のサイズのメール便については矩形開口を持つ定規を予め店舗に用意しておき、この矩形開口を持ち込まれたメール便がすり抜けるかどうかによって受付けるか否かを店員が判定するようにする。矩形開口とは、垂直方向対向２辺が２ｃｍを有し、水平方向対向２辺がＡ４サイズ又はＢ４サイズの底辺幅を持つ開口を言う。操作の順番や受付けの仕方など運用方法は種々変更可能である。これらの変更を加えて実施したに過ぎない実施品に対して実施の形態に係る商品登録装置およびプログラムの優位性は何ら損なわれるものではない。
【００３６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１０…ＰＯＳシステム、１１…ＰＯＳ端末（商品登録装置）、１２…ＬＡＮ、１３…ストアコンピュータ、１４，１６…ディジタル回線終端装置、１５…ディジタル通信回線、１７…ホスト装置、１８…スキャナ（読取り部）、１９…キーボード（キー入力部）、２０…メール便サイズ運賃テーブル（テーブル）、２１…記憶部、２２…情報処理部、２３…キャッシャ用表示器（表示部）、２４…集計部、２５，２６…記憶部、２７…客面表示器、２８…プリンタ、２９…ドロワ、３０…ＣＰＵ、３１…ＲＯＭ、３２…ＲＡＭ、３３…ハードディスクドライブ、３４…バスライン、３５…通信インターフェース、３６…Ｉ／Ｏポート、３７…キーボードコントローラ、３８，３９…表示コントローラ、４０…プリンタコントローラ、４１…スキャナコントローラ、４２…登録画面、４３…ウィンドウ、４４…明細エリア、４５…会計情報、４６…集計情報、１００…ライナ、１０１…伝票ラベル（伝票）、１０２…バーコード（商品コード）。
【図２】
2014041531.tif 000003
【図３】
2014041531.tif 000004
【図４】
2014041531.tif 000005
【図５】
2014041531.tif 000006
【図６】
2014041531.tif 000007
【図７】
2014041531.tif 000008
【図８】
2014041531.tif 000009
【図９】
2014041531.tif 000010
【図１０】
2014041531.tif 000011
【図１１】
2014041531.tif 000012
【図１】
2014041531.tif 000013